(57)【要約】【課題】コンデンサの等価直列インダクタンスとコンデンサが接続される配線の寄生インダクタンスを抑えるノイズフィルタであって、外部磁界の影響が抑えられたノイズフィルタを提供する。【解決手段】ノイズフィルタは、入力ポートと出力ポートの間を延びている第１導電線であって、前記入力ポートと分岐部の間を延びている入力側導電線と、前記出力ポートと前記分岐部の間を延びている出力側導電線と、を有する第１導電線と、前記第１導電線の前記分岐部に接続されているとともにコンデンサが介挿されている第２導電線と、を備えており、前記入力側導電線と前記出力側導電線の少なくとも一方は、第１ループ線と、第２ループ線と、前記第１ループ線と前記第２ループ線を接続する第１接続線と、を有しており、前記第１接続線は、前記第１ループ線と前記第２ループ線が８の字状となるように両者を接続している。【選択図】図６
2020155875.tif 000002
【特許請求の範囲】
【請求項１】
入力ポートと出力ポートの間を延びている第１導電線であって、前記入力ポートと分岐部の間を延びている入力側導電線と、前記出力ポートと前記分岐部の間を延びている出力側導電線と、を有する第１導電線と、
前記第１導電線の前記分岐部に接続されているとともにコンデンサが介挿されている第２導電線と、を備えており、
前記入力側導電線は、第１入力ループ線と、第２入力ループ線と、前記第１入力ループ線と前記第２入力ループ線を接続する第１入力側接続線と、を有しており、
前記出力側導電線は、第１出力ループ線と、第２出力ループ線と、前記第１出力ループ線と前記第２出力ループ線を接続する第１出力側接続線と、を有しており、
前記第１入力側接続線は、前記第１入力ループ線と前記第２入力ループ線が８の字状となるように両者を接続しており、
前記第１出力側接続線は、前記第１出力ループ線と前記第２出力ループ線が８の字状となるように両者を接続している、ノイズフィルタ。
【請求項２】
前記第１入力ループ線と前記第２入力ループ線が、第１面の面内に配設されており、
前記第１入力側接続線は、前記第１入力ループ線と前記第２入力ループ線を接続する一対の接続線が少なくとも２つの面を利用してねじれの位置となるように構成されており、
前記第１出力ループ線と前記第２出力ループ線が、前記第１面とは異なる第２面の面内に配設されており、
前記第１出力側接続線は、前記第１出力ループ線と前記第２出力ループ線を接続する一対の接続線が少なくとも２つの面を利用してねじれの位置となるように構成されている、請求項１に記載のノイズフィルタ。
【請求項３】
前記第１入力側接続線の前記一対の接続線は、前記第１面と前記第２面を利用してねじれの位置となるように構成されており、
前記第１出力側接続線の前記一対の接続線は、前記第１面と前記第２面を利用してねじれの位置となるように構成されている、請求項２に記載のノイズフィルタ。
【請求項４】
前記第１入力ループ線と前記第２入力ループ線が、回路基板の一方の主面に配設されており、
前記第１出力ループ線と前記第２出力ループ線が、前記回路基板の他方の主面に配設されている、請求項２又は３に記載のノイズフィルタ。
【請求項５】
前記第１入力ループ線と前記第１出力ループ線が対向して配置されており、
前記第１入力ループ線と前記第１出力ループ線が対向する方向から見たときに、前記第１入力ループ線のループ内領域の少なくとも一部と前記第１出力ループ線のループ内領域の少なくとも一部が重複する位置関係であり、前記第１入力ループ線と前記第１出力ループ線の各々の前記入力ポートから前記出力ポートに向けてのループ方向が一致しており、
前記第２入力ループ線と前記第２出力ループ線が対向して配置されており、
前記第２入力ループ線と前記第２出力ループ線が対向する方向から見たときに、前記第２入力ループ線のループ内領域の少なくとも一部と前記第２出力ループ線のループ内領域の少なくとも一部が重複する位置関係であり、前記第２入力ループ線と前記第２出力ループ線の各々の前記入力ポートから前記出力ポートに向けてのループ方向が一致している、請求項１〜４のいずれか一項に記載のノイズフィルタ。
【請求項６】
前記第１入力ループ線の前記ループ内領域の少なくとも一部と前記第１出力ループ線の前記ループ内領域の少なくとも一部を貫通して延びている第１磁性体部と、
前記第２入力ループ線の前記ループ内領域の少なくとも一部と前記第２出力ループ線の前記ループ内領域の少なくとも一部を貫通して延びている第２磁性体部と、をさらに備えている、請求項５に記載のノイズフィルタ。
【請求項７】
前記入力ポートと前記出力ポートと前記コンデンサが、前記第１入力ループ線と前記第２入力ループ線と前記第１出力ループ線と前記第２出力ループ線が設けられている回路基板とは異なる回路基板に設けられている、請求項１〜６のいずれか一項に記載のノイズフィルタ。
【請求項８】
前記入力側導電線は、第３入力ループ線と、第４入力ループ線と、前記第１入力ループ線と前記第３入力ループ線を接続する第２入力側接続線と、前記第３入力ループ線と前記第４入力ループ線を接続する第３入力側接続線と、をさらに有しており、
前記第２入力側接続線は、前記第１入力ループ線と前記第３入力ループ線が８の字状となるように両者を接続しており、
前記第３入力側接続線は、前記第３入力ループ線と前記第４入力ループ線が８の字状となるように両者を接続しており、
前記第１入力ループ線と前記第２入力ループ線は、第１方向に沿って隣り合って配置されており、
前記第１入力ループ線と前記第３入力ループ線は、前記第１方向に直交する第２方向に沿って隣り合って配置されており、
前記第３入力ループ線と前記第４入力ループ線は、前記第１方向に沿って隣り合って配置されており、
前記第２入力ループ線と前記第４入力ループ線は、前記第２方向に沿って隣り合って配置されており、
前記出力側導電線は、第３出力ループ線と、第４出力ループ線と、前記第１出力ループ線と前記第３出力ループ線を接続する第２出力側接続線と、前記第３出力ループ線と前記第４出力ループ線を接続する第３出力側接続線と、をさらに有しており、
前記第２出力側接続線は、前記第１出力ループ線と前記第３出力ループ線が８の字状となるように両者を接続しており、
前記第３出力側接続線は、前記第３出力ループ線と前記第４出力ループ線が８の字状となるように両者を接続しており、
前記第１出力ループ線と前記第２出力ループ線は、第３方向に沿って隣り合って配置されており、
前記第１出力ループ線と前記第３出力ループ線は、前記第３方向に直交する第４方向に沿って隣り合って配置されており、
前記第３出力ループ線と前記第４出力ループ線は、前記第３方向に沿って隣り合って配置されており、
前記第２出力ループ線と前記第４出力ループ線は、前記第４方向に沿って隣り合って配置されている、請求項１〜７のいずれか一項に記載のノイズフィルタ。
【請求項９】
入力ポートと出力ポートの間を延びている第１導電線であって、前記入力ポートと分岐部の間を延びている入力側導電線と、前記出力ポートと前記分岐部の間を延びている出力側導電線と、を有する第１導電線と、
前記第１導電線の前記分岐部に接続されているとともにコンデンサが介挿されている第２導電線と、を備えており、
前記入力側導電線と前記出力側導電線の少なくとも一方は、第１ループ線と、第２ループ線と、前記第１ループ線と前記第２ループ線を接続する第１接続線と、を有しており、
前記第１接続線は、前記第１ループ線と前記第２ループ線が８の字状となるように両者を接続している、ノイズフィルタ。
【請求項１０】
前記入力側導電線と前記出力側導電線の少なくとも一方は、第３ループ線と、第４ループ線と、前記第１ループ線と前記第３ループ線を接続する第２接続線と、前記第３ループ線と前記第４ループ線を接続する第３接続線と、をさらに有しており、
前記第２接続線は、前記第１ループ線と前記第３ループ線が８の字状となるように両者を接続しており、
前記第３接続線は、前記第３ループ線と前記第４ループ線が８の字状となるように両者を接続しており、
前記第１ループ線と前記第２ループ線は、第１方向に沿って隣り合って配置されており、
前記第１ループ線と前記第３ループ線は、前記第１方向に直交する第２方向に沿って隣り合って配置されており、
前記第３ループ線と前記第４ループ線は、前記第１方向に沿って隣り合って配置されており、
前記第２ループ線と前記第４ループ線は、前記第２方向に沿って隣り合って配置されている、請求項９に記載のノイズフィルタ。
【発明の詳細な説明】
【技術分野】
【０００１】
本明細書が開示する技術は、ノイズフィルタに関する。
【背景技術】
【０００２】
導電線に重畳する電磁ノイズを抑えるために、ノイズフィルタの開発が進められている。この種のノイズフィルタの多くは、電磁ノイズを導電線からＧＮＤにバイパスさせるためのコンデンサを備えている。しかしながら、コンデンサには等価直列インダクタンス（ESL：Equivalent Series Inductance）と称される寄生インダクタンスが存在しており、さらに、そのコンデンサが接続する配線にも寄生インダクタンスが存在している。このため、このようなノイズフィルタは、これら寄生インダクタンスの影響により、高周波帯域の電磁ノイズに対して良好なフィルタ性能を発揮できないことが知られている。
【０００３】
特許文献１及び特許文献２は、導電線に直列接続させた一対のインダクタの磁気結合を利用するノイズフィルタを開示する。特許文献１に開示されるノイズフィルタでは、一対のインダクタの間に生じる相互インダクタンスによってコンデンサの等価直列インダクタンスを減じることにより、フィルタ性能を向上させている。
【先行技術文献】
【特許文献】
【０００４】
【特許文献１】米国特許第６，９３７，１１５号明細書
【特許文献２】特開２０１６−３１９６５号公報
【発明の概要】
【発明が解決しようとする課題】
【０００５】
特許文献１及び特許文献２の技術では、磁気結合する一対のインダクタを導電線に形成するために、ループ状の導体パターンを有する導電線が用いられている。しかしながら、このようなループ状の導体パターンに対して外部磁界が鎖交すると、導体パターンに発生する誘導電流によってフィルタ性能が悪化してしまう。
【０００６】
本願明細書は、コンデンサの等価直列インダクタンスとコンデンサが接続される配線の寄生インダクタンスを抑えるノイズフィルタであって、外部磁界の影響が抑えられたノイズフィルタを提供することを目的とする。
【課題を解決するための手段】
【０００７】
本明細書が開示するノイズフィルタの一実施形態は、第１導電線と第２導電線を備えることができる。前記第１導電線は、入力ポートと出力ポートの間を延びており、前記入力ポートと分岐部の間を延びている入力側導電線と、前記出力ポートと前記分岐部の間を延びている出力側導電線と、を有することができる。前記第２導電線は、前記第１導電線の前記分岐部に接続されているとともにコンデンサが介挿されている。前記入力側導電線は、第１入力ループ線と、第２入力ループ線と、前記第１入力ループ線と前記第２入力ループ線を接続する第１入力側接続線と、を有することができる。前記出力側導電線は、第１出力ループ線と、第２出力ループ線と、前記第１出力ループ線と前記第２出力ループ線を接続する第１出力側接続線と、を有することができる。前記第１入力側接続線は、前記第１入力ループ線と前記第２入力ループ線が８の字状となるように両者を接続することができる。前記第１出力側接続線は、前記第１出力ループ線と前記第２出力ループ線が８の字状となるように両者を接続することができる。このノイズフィルタでは、前記入力側導電線に形成されている２つの入力ループ線と前記出力側導電線に形成されている２つの出力ループ線が磁気結合し、これらの間に生じる相互インダクタンスによって前記コンデンサの等価直列インダクタンスと前記コンデンサが接続される前記第２導電線の寄生インダクタンスを抑えることができる。このため、このノイズフィルタは、高周波帯域のノイズに対して良好なフィルタ性能を発揮することができる。さらに、このノイズフィルタでは、前記第１入力ループ線と前記第２入力ループ線が８の字状に接続されていることから、外部磁界が鎖交したときに前記第１入力ループ線に発生する誘導電流と前記第２入力ループ線に発生する誘導電流が逆位相の関係となる。このため、前記第１入力ループ線に発生する誘導電流と前記第２入力ループ線に発生する誘導電流が相殺されるので、外部磁界の影響が抑えられる。同様に、このノイズフィルタでは、前記第１出力ループ線と前記第２出力ループ線が８の字状に接続されていることから、外部磁界が鎖交したときに前記第１出力ループ線に発生する誘導電流と前記第２出力ループ線に発生する誘導電流が逆位相の関係となる。このため、前記第１出力ループ線に発生する誘導電流と前記第２出力ループ線に発生する誘導電流が相殺されるので、外部磁界の影響が抑えられる。このように、このノイズフィルタは、外部磁界に抗してフィルタ性能が安定するという特徴を有することができる。
【０００８】
上記ノイズフィルタの一実施形態では、前記第１入力ループ線と前記第２入力ループ線が、第１面の面内に配設されていてもよい。この場合、前記第１入力側接続線は、前記第１入力ループ線と前記第２入力ループ線を接続する一対の接続線が少なくとも２つの面を利用してねじれの位置となるように構成されている。また、前記第１出力ループ線と前記第２出力ループ線が、前記第１面とは異なる第２面の面内に配設されていてもよい。この場合、前記第１出力側接続線は、前記第１出力ループ線と前記第２出力ループ線を接続する一対の接続線が少なくとも２つの面を利用してねじれの位置となるように構成されている。このような構成の前記第１入力側接続線が採用されることにより、前記第１面の面内に配設された前記第１入力ループ線と前記第２入力ループ線が８の字状に接続され得る。同様に、このような構成の前記第１出力側接続線が採用されることにより、前記第２面の面内に配設された前記第１出力ループ線と前記第２出力ループ線が８の字状に接続され得る。
【０００９】
上記ノイズフィルタの一実施形態では、前記第１入力側接続線の前記一対の接続線は、前記第１面と前記第２面を利用してねじれの位置となるように構成されていてもよい。さらに、前記第１出力側接続線の前記一対の接続線は、前記第１面と前記第２面を利用してねじれの位置となるように構成されていてもよい。このノイズフィルタは、前記第１面と前記第２面の２つの面のみで構成されており、コンパクトな形態という特徴を有することができる。
【００１０】
上記ノイズフィルタの一実施形態では、前記第１入力ループ線と前記第２入力ループ線が、回路基板の一方の主面に配設されていてもよい。さらに、前記第１出力ループ線と前記第２出力ループ線が、前記回路基板の他方の主面に配設されていてもよい。このノイズフィルタは、前記回路基板の表裏面に構成されており、コンパクトな形態という特徴を有することができる。
【００１１】
上記ノイズフィルタの一実施形態では、前記第１入力ループ線と前記第１出力ループ線が対向して配置されていてもよい。この場合、前記第１入力ループ線と前記第１出力ループ線が対向する方向から見たときに、前記第１入力ループ線のループ内領域の少なくとも一部と前記第１出力ループ線のループ内領域の少なくとも一部が重複する位置関係であり、前記第１入力ループ線と前記第１出力ループ線の各々の前記入力ポートから前記出力ポートに向けてのループ方向が一致していてもよい。さらに、上記ノイズフィルタの一実施形態では、前記第２入力ループ線と前記第２出力ループ線が対向して配置されていてもよい。この場合、前記第２入力ループ線と前記第２出力ループ線が対向する方向から見たときに、前記第２入力ループ線のループ内領域の少なくとも一部と前記第２出力ループ線のループ内領域の少なくとも一部が重複する位置関係であり、前記第２入力ループ線と前記第２出力ループ線の各々の前記入力ポートから前記出力ポートに向けてのループ方向が一致していてもよい。このノイズフィルタでは、前記第１入力ループ線と前記第１出力ループ線が良好に磁気結合し、前記第２入力ループ線と前記第２出力ループ線が良好に磁気結合することができる。
【００１２】
上記ノイズフィルタの一実施形態は、前記第１入力ループ線の前記ループ内領域の少なくとも一部と前記第１出力ループ線の前記ループ内領域の少なくとも一部を貫通して延びている第１磁性体部と、前記第２入力ループ線の前記ループ内領域の少なくとも一部と前記第２出力ループ線の前記ループ内領域の少なくとも一部を貫通して延びている第２磁性体部と、をさらに備えていてもよい。このノイズフィルタでは、前記第１磁性体部によって前記第１入力ループ線と前記第１出力ループ線の磁気結合が強められ、前記第２磁性体部によって前記第２入力ループ線と前記第２出力ループ線の磁気結合が強められる。これにより、ループ線の各々の面積を小さくしても十分な相互インダクタンスを得ることができる。したがって、このノイズフィルタは、コンパクトな形態という特徴を有することができる。
【００１３】
上記ノイズフィルタの一実施形態では、前記入力ポートと前記出力ポートと前記コンデンサが、前記第１入力ループ線と前記第２入力ループ線と前記第１出力ループ線と前記第２出力ループ線が設けられている回路基板とは異なる回路基板に設けられていてもよい。例えば、１つの回路基板に全ての構成要素を搭載すると、その回路基板の面積が増加してしまう。このノイズフィルタでは、少なくとも２つの回路基板に構成要素を分けて搭載することにより、個々の回路基板の面積を小さくすることができる。
【００１４】
上記ノイズフィルタの一実施形態では、前記入力側導電線が、第３入力ループ線と、第４入力ループ線と、前記第１入力ループ線と前記第３入力ループ線を接続する第２入力側接続線と、前記第３入力ループ線と前記第４入力ループ線を接続する第３入力側接続線と、をさらに有していてもよい。この場合、前記第２入力側接続線は、前記第１入力ループ線と前記第３入力ループ線が８の字状となるように両者を接続している。前記第３入力側接続線は、前記第３入力ループ線と前記第４入力ループ線が８の字状となるように両者を接続している。前記第１入力ループ線と前記第２入力ループ線は、第１方向に沿って隣り合って配置されている。前記第１入力ループ線と前記第３入力ループ線は、前記第１方向に直交する第２方向に沿って隣り合って配置されている。前記第３入力ループ線と前記第４入力ループ線は、前記第１方向に沿って隣り合って配置されている。前記第２入力ループ線と前記第４入力ループ線は、前記第２方向に沿って隣り合って配置されている。このような位置関係で複数の入力ループ線が配置されていると、外部磁界の磁界源の位置の影響が抑えられる。上記ノイズフィルタの一実施形態ではさらに、前記出力側導電線が、第３出力ループ線と、第４出力ループ線と、前記第１出力ループ線と前記第３出力ループ線を接続する第２出力側接続線と、前記第３出力ループ線と前記第４出力ループ線を接続する第３出力側接続線と、をさらに有していてもよい。この場合、前記第２出力側接続線は、前記第１出力ループ線と前記第３出力ループ線が８の字状となるように両者を接続しており、前記第３出力側接続線は、前記第３出力ループ線と前記第４出力ループ線が８の字状となるように両者を接続している。前記第１出力ループ線と前記第２出力ループ線は、第３方向に沿って隣り合って配置されている。前記第１出力ループ線と前記第３出力ループ線は、前記第３方向に直交する第４方向に沿って隣り合って配置されている。前記第３出力ループ線と前記第４出力ループ線は、前記第３方向に沿って隣り合って配置されている。前記第２出力ループ線と前記第４出力ループ線は、前記第４方向に沿って隣り合って配置されている。このような位置関係で複数の出力ループ線が配置されていると、外部磁界の磁界源の位置の影響が抑えられる。なお、前記第１方向と前記第３方向が同一方向であってもよく、前記第２方向と前記第４方向が同一方向であってもよい。
【００１５】
本明細書が開示するノイズフィルタの他の一実施形態は、第１導電線と第２導電線を備えることができる。第１導電線は、入力ポートと出力ポートの間を延びており、前記入力ポートと分岐部の間を延びている入力側導電線と、前記出力ポートと前記分岐部の間を延びている出力側導電線と、を有することができる。第２導電線は、前記第１導電線の前記分岐部に接続されているとともにコンデンサが介挿されている。前記入力側導電線と前記出力側導電線の少なくとも一方は、第１ループ線と、第２ループ線と、前記第１ループ線と前記第２ループ線を接続する第１接続線と、を有することができる。前記第１接続線は、前記第１ループ線と前記第２ループ線が８の字状となるように両者を接続している。このノイズフィルタでは、前記第１ループ線と前記第２ループ線が８の字状に接続されていることから、外部磁界が鎖交したときに前記第１ループ線に発生する誘導電流と前記第２ループ線に発生する誘導電流が逆位相の関係となる。このため、前記第１ループ線に発生する誘導電流と前記第２ループ線に発生する誘導電流が相殺されるので、外部磁界の影響が抑えられる。このように、このノイズフィルタは、外部磁界に抗してフィルタ性能が安定するという特徴を有することができる。
【００１６】
上記ノイズフィルタの他の一実施形態では、前記入力側導電線と前記出力側導電線の少なくとも一方が、第３ループ線と、第４ループ線と、前記第１ループ線と前記第３ループ線を接続する第２接続線と、前記第３ループ線と前記第４ループ線を接続する第３接続線と、をさらに有していてもよい。この場合、前記第２接続導電線は、前記第１ループ線と前記第３ループ線が８の字状となるように両者を接続している。前記第３接続線は、前記第３ループ線と前記第４ループ線が８の字状となるように両者を接続している。前記第１ループ線と前記第２ループ線は、第１方向に沿って隣り合って配置されている。前記第１ループ線と前記第３ループ線は、前記第１方向に直交する第２方向に沿って隣り合って配置されている。前記第３ループ線と前記第４ループ線は、前記第１方向に沿って隣り合って配置されている。前記第２ループ線と前記第４ループ線は、前記第２方向に沿って隣り合って配置されている。このような位置関係で複数のループ線が配置されていると、外部磁界の磁界源の位置の影響が抑えられる。このノイズフィルタは、外部磁界の磁界源の位置に対する高いロバスト性を有することができる。
【図面の簡単な説明】
【００１７】
【図１】ＬＣＬ構成のＴ型のノイズフィルタの回路図である。
【図２】ＬＣＬ構成のＴ型のノイズフィルタのノイズ伝達特性を説明する等価回路図である。
【図３】ＬＣＬ構成のＴ型のノイズフィルタのノイズ伝達特性を説明する等価回路図である。
【図４】比較例のノイズフィルタの構成を示す図である。
【図５】外部磁界の影響により図４の比較例のノイズフィルタに誘導電流が流れた様子を示す図である。
【図６】本実施形態のノイズフィルタの構成を示す図である。
【図７】外部磁界の影響により図６の本実施形態のノイズフィルタに誘導電流が流れた様子を示す図である。
【図８】本実施形態の第１変形例のノイズフィルタの構成を示す図である。
【図９】本実施形態の第２変形例のノイズフィルタの構成を示す図である。
【図１０】本実施形態の第３変形例のノイズフィルタの構成を示す図である。
【図１１】外部磁界の影響により図１０の本実施形態の第３変形例のノイズフィルタに誘導電流が流れた様子を示す図である。
【図１２】図１１の本実施形態の第３変形例のノイズフィルタの技術を拡張したノイズフィルタの構成を示す図である。
【発明を実施するための形態】
【００１８】
（ノイズフィルタのノイズ伝達特性）
本願明細書が開示するノイズフィルタの具体的な実施形態を説明する前に、図１〜３を参照し、ＬＣＬ構成のＴ型のノイズフィルタ１のノイズ伝達特性について説明する。
【００１９】
図１に示されるように、ノイズフィルタ１は、入力ポートＩＮ１と出力ポートＯＵＴ１の間を延びている第１導電線１１を備えている。第１導電線１１は、入力ポートＩＮ１と分岐部１１Ｃの間を延びている入力側導電線１１Ａと、出力ポートＯＵＴ１と分岐部１１Ｃの間を延びている出力側導電線１１Ｂと、を有している。第１導電線１１には一対のインダクタＬ１，Ｌ２が直列接続されており、入力側インダクタＬ１が入力側導電線１１Ａに設けられており、出力側インダクタＬ２が出力側導電線１１Ｂに設けられている。入力側インダクタＬ１のインダクタンスがＬ１であり、出力側インダクタＬ２のインダクタンスがＬ２である。なお、これらインダクタＬ１，Ｌ２は、第１導電線１１にレイアウトされたループ線で構成されている。ノイズフィルタ１はさらに、一端が第１導電線１１の分岐部１１Ｃに接続されているとともに他端が基準導電線に接続されている第２導電線１２を備えている。第２導電線１２には、コンデンサＣ１が介挿されている。インダクタＬ３のインダクタンスＬ３は、コンデンサＣ１の等価直列インダクタンス（ESL：Equivalent Series Inductance）とコンデンサＣ１が接続する第２導電線１２の寄生インダクタンスの和である。
【００２０】
図１のノイズフィルタ１にノイズ発生源と負荷を接続した等価回路を図２に示す。Ｚ１は、ノイズ源の内部インピーダンスであり、Ｚ２は負荷回路のインピーダンスである。このノイズフィルタ１では、入力側インダクタＬ１と出力側インダクタＬ２が磁気結合しており、インダクタＬ１，Ｌ２のそれぞれを流れる電流Ｉ１，Ｉ２が図中の向きに流れるとすると、これらインダクタＬ１，Ｌ２の間に正の相互インダクタンスＭが生じている。ノイズ電圧をＶnoiseとすると、負荷回路に加わるノイズ電圧ＶＬは、以下の式で表される。
【００２１】
【数１】
2020155875.tif 000003
【００２２】
ＺＬ１：入力側インダクタＬ１のインピーダンス（jω(L1＋M)）
ＺＬ２：出力側インダクタＬ２のインピーダンス（jω(L2＋M)）
ＺＬ３：コンデンサＣ１の等価直列インダクタとコンデンサＣ１が接続される第２導電線１２の寄生インダクタの和からなるインピーダンス（jω(L3−M)）
ＺＣ：コンデンサＣ１のインピーダンス（1/jωC）
ω：角周波数（２πｆ）
【００２３】
上記数式１に示されるように、負荷回路に加わるノイズ電圧ＶＬを低減するためには、分子のＺＬ３＋ＺＣを低減することが重要である。
【００２４】
電圧ＶＬの振幅は絶対値で表されるので、上記数式１の絶対値をとり、その分子をＶｎｕｍとすると、以下の数式で表すことができる。
【００２５】
【数２】
2020155875.tif 000004
【００２６】
上記数式２によれば、｛ω（Ｌ３−Ｍ）−１／ωＣ｝が０となるように相互インダクタンスＭを設定すると、フィルタ性能が最大化することが分かる。しかしながら、そのような条件は、ある特定の周波数のみで実現される。このため、幅広い周波数のノイズを低減するためのノイズフィルタは、そのような条件で設定されない。
【００２７】
ここで、入力側インダクタＬ１と出力側インダクタＬ２の間に生じる相互インダクタンスＭは、結合係数ｋを用いて以下の数式で表すことができる。
【００２８】
【数３】
2020155875.tif 000005
【００２９】
結合係数ｋは磁気結合の度合いを示す値であり、本明細書が開示する構造では、０≦k≦１の値をとる。上記数式２及び上記数式３に示されるように、インダクタンスＬ３と相互インダクタンスＭが一致するように、ｋ、Ｌ１、Ｌ２の値を調整すれば、上記数式１の分子にはコンデンサＣ１のインピーダンスと負荷回路のインピーダンスの積のみが残る。角周波数ωは周波数の増加とともに大きくなることから、インダクタンスＬ３と相互インダクタンスＭを一致させれば、高周波帯域の電磁ノイズに対するフィルタ性能が向上する。
【００３０】
即ち、図３に示されるように、入力側インダクタＬ１と出力側インダクタＬ２を磁気結合させることにより、入力側インダクタＬ１と出力側インダクタＬ２の間に生じる相互インダクタンスＭによってインダクタンスＬ３を減じさせれば、高周波帯域の電磁ノイズに対するフィルタ性能を向上させることができる。本明細書が開示するノイズフィルタは、この現象を利用して、高周波帯域の電磁ノイズに対するフィルタ性能を改善するという特徴を有している。
【００３１】
（比較例のノイズフィルタ１０）
図４及び図５に、図１〜図３の技術が適用されたノイズフィルタの一例を示す。図４及び図５に示されるノイズフィルタ１０は、この種のノイズフィルタで生じる課題について説明するための比較例である。なお、説明を簡単化するために、図１〜３のノイズフィルタ１と実質的に共通する機能を有する構成要素については共通の符号を付し、説明を省略することがある。
【００３２】
図４に示されるように、ノイズフィルタ１０は、入力ポートＩＮ１と出力ポートＯＵＴ１の間を延びている第１導電線１１を備えている。第１導電線１１には入力ループ線Ｌ１と出力ループ線Ｌ２が直列接続されており、入力ループ線Ｌ１が入力側導電線１１Ａに設けられており、出力ループ線Ｌ２が出力側導電線１１Ｂに設けられている。なお、入力ループ線Ｌ１が図１〜３の入力側インダクタＬ１に相当し、出力ループ線Ｌ２が図１〜３の出力側インダクタＬ２に相当する。
【００３３】
入力ループ線Ｌ１が配設されている面と出力ループ線Ｌ２が配設されている面が異なっており、入力ループ線Ｌ１と出力ループ線Ｌ２がｚ軸方向に沿って対向する位置関係で配置されている。これにより、入力ループ線Ｌ１と出力ループ線Ｌ２が磁気結合し、これらの間に相互インダクタンスが生じている。入力ループ線Ｌ１が配設されている面と出力ループ線Ｌ２が配設されている面の間には導体ビア２１,２２が設けられており、これらの導体ビア２１，２２を介して第１導電線１１が入力ポートＩＮ１と出力ポートＯＵＴ１の間を連続して延びることができる。
【００３４】
ノイズフィルタ１０はさらに、一端が第１導電線１１の分岐部１１Ｃに接続されているとともに他端が基準ポートＧＮＤに接続されている第２導電線１２を備えている。第２導電線１２には、コンデンサＣ１が介挿されている。
【００３５】
第２導電線１２には、コンデンサＣ１の等価直列インダクタンス（ESL：Equivalent Series Inductance）とコンデンサＣ１が接続する第２導電線１２の寄生インダクタンスが存在している。しかしながら、これら等価直列インダクタンスと寄生インダクタンスは、図１〜図３を用いて説明したように、入力ループ線Ｌ１と出力ループ線Ｌ２の磁気結合で生じる相互インダクタンスによって減じられている。これにより、ノイズフィルタ１０では、高周波帯域の電磁ノイズに対するフィルタ性能が向上している。
【００３６】
ところで、このようなノイズフィルタ１０は、電気機器に搭載されて用いられる。そのような環境下には、電気機器が動作したときに流れる電流によって磁界が生じている。本願明細書では、このような環境下に生じている磁界を外部磁界という。このような外部磁界によって、入力ループ線Ｌ１と出力ループ線Ｌ２を鎖交する磁束が存在している。
【００３７】
図５に、入力ループ線Ｌ１と出力ループ線Ｌ２を鎖交する磁束（紙面上側から紙面下側向き）が増加したときに、入力ループ線Ｌ１と出力ループ線Ｌ２の各々の流れる誘導電流を破線矢印で示す。これらの誘導電流はいずれも、第１導電線１１を同じ向きに流れる電流であり、この例では出力ポートＯＵＴ１から入力ポートＩＮ１への向きに流れる電流である。このような誘導電流は、新たなノイズ発生要因となり、フィルタ性能を悪化させてしまう。このため、フィルタ性能の悪化を抑えるためには、外部磁界による誘導電流の発生量を抑えることが必要である。以下、このような外部磁界による誘導電流に対策したノイズフィルタについて説明する。
【００３８】
（本実施形態のノイズフィルタ１００）
図６及び図７に、本実施形態のノイズフィルタ１００を示す。なお、説明を簡単化するために、図１〜３のノイズフィルタ１と実質的に共通する機能を有する構成要素については共通の符号を付し、その説明を省略することがある。
【００３９】
図６に示されるように、ノイズフィルタ１００は、入力ポートＩＮ１と出力ポートＯＵＴ１の間を延びている第１導電線１１を備えている。第１導電線１１には、入力ループ線Ｌ１と出力ループ線Ｌ２が直列接続されている。入力ループ線Ｌ１は、第１入力ループ線ＬＩＮ１と第２入力ループ線ＬＩＮ２を有しており、第１導電線１１のうちの入力ポートＩＮ１と分岐部１１Ｃの間を延びている入力側導電線１１Ａに設けられている。第１入力ループ線ＬＩＮ１と第２入力ループ線ＬＩＮ２は、ｙ方向に沿って隣り合って配置されている。出力ループ線Ｌ２は、第１出力ループ線ＬＯＵＴ１と第２出力ループ線ＬＯＵＴ２を有しており、第１導電線１１のうちの出力ポートＯＵＴ１と分岐部１１Ｃの間を延びている出力側導電線１１Ｂに設けられている。第１出力ループ線ＬＯＵＴ１と第２出力ループ線ＬＯＵＴ２は、ｙ方向に沿って隣り合って配置されている。なお、第１入力ループ線ＬＩＮ１と第２入力ループ線ＬＩＮ２の組からなる入力ループ線Ｌ１が図１〜３の入力側インダクタＬ１に相当し、第１出力ループ線ＬＯＵＴ１と第２出力ループ線ＬＯＵＴ２の組からなる出力ループ線Ｌ２が図１〜３の出力側インダクタＬ２に相当する。
【００４０】
入力ループ線Ｌ１は、ｘｙ平面に平行な第１面Ｓ１の面内に配設されている。出力ループ線Ｌ２は、ｘｙ平面に平行な第２面Ｓ２の面内に配設されている。第１面Ｓ１と第２面Ｓ２は、平行に延びた異なる面である。第１面Ｓ１と第２面Ｓ２は、例えば回路基板の表面と裏面である。または、第１面Ｓ１と第２面Ｓ２は、例えば積層する２枚の回路基板の各々の表面である。このように、入力ループ線Ｌ１が配設されている第１面Ｓ１と出力ループ線Ｌ２が配設されている第２面Ｓ２が異なっている。入力ループ線Ｌ１が配設されている第１面Ｓ１と出力ループ線Ｌ２が配設されている第２面の間には導体ビア２１,２２が設けられており、これらの導体ビア２１，２２を介して第１導電線１１が入力ポートＩＮ１と出力ポートＯＵＴ１の間を連続して延びることができる。
【００４１】
第１導電線１１のうちの入力側導電線１１Ａはさらに、第１入力ループ線ＬＩＮ１と第２入力ループ線ＬＩＮ２を接続する第１入力側接続線ＣＬＩＮ１を有している。第１入力側接続線ＣＬＩＮ１は、第１入力ループ線ＬＩＮ１と第２入力ループ線ＬＩＮ２が８の字状となるように両者を接続している。具体的には、図６に示されるように、第１入力側接続線ＣＬＩＮ１の一対の接続線は、第１面Ｓ１と第２面Ｓ２を利用してねじれの位置となるように構成されている。即ち、第１入力側接続線ＣＬＩＮ１の一対の接続線が交差するのを避けるために、第１入力側接続線ＣＬＩＮ１の一対の接続線のうちの一方の接続線が導体ビア及び第２面Ｓ２上の配線を介して一対の接続線のうちの他方の接続線を迂回するように構成されている。
【００４２】
第１導電線１１のうちの出力側導電線１１Ｂはさらに、第１出力ループ線ＬＯＵＴ１と第２出力ループ線ＬＯＵＴ２を接続する第１出力側接続線ＣＬＯＵＴ１を有している。第１出力側接続線ＣＬＯＵＴ１は、第１出力ループ線ＬＯＵＴ１と第２出力ループ線ＬＯＵＴ２が８の字状となるように両者を接続している。具体的には、図６に示されるように、第１出力側接続線ＣＬＯＵＴ１の一対の接続線は、第１面Ｓ１と第２面Ｓ２を利用してねじれの位置となるように構成されている。即ち、第１出力側接続線ＣＬＯＵＴ１の一対の接続線が交差するのを避けるために、第１出力側接続線ＣＬＯＵＴ１の一対の接続線のうちの一方の接続線が導体ビア及び第１面Ｓ１上の配線を介して一対の接続線のうちの他方の接続線を迂回するように構成されている。
【００４３】
ノイズフィルタ１００では、第１入力ループ線ＬＩＮ１と第１出力ループ線ＬＯＵＴ１がｚ軸方向に沿って対向して配置されており、第２入力ループ線ＬＩＮ２と第２出力ループ線ＬＯＵＴ２がｚ軸方向に沿って対向して配置されている。より具体的には、ｚ軸方向に沿って見たときに、第１入力ループ線ＬＩＮ１と第１出力ループ線ＬＯＵＴ１が同一形状であり、第１入力ループ線ＬＩＮ１と第１出力ループ線ＬＯＵＴ１が重複するように配置されている。同様に、ｚ軸方向に沿って見たときに、第２入力ループ線ＬＩＮ２と第２出力ループ線ＬＯＵＴ２が同一形状であり、第２入力ループ線ＬＩＮ２と第２出力ループ線ＬＯＵＴ２が重複するように配置されている。
【００４４】
第１入力ループ線ＬＩＮ１と第１出力ループ線ＬＯＵＴ１は、入力ポートＩＮ１から出力ポートＯＵＴ１に向けてのループ方向が同一方向（この例では、時計回りの方向）である。また、第２入力ループ線ＬＩＮ２と第２出力ループ線ＬＯＵＴ２は、入力ポートＩＮ１から出力ポートＯＵＴ１に向けてのループ方向が同一方向（この例では、反時計回りの方向）である。したがって、入力ポートＩＮ１から出力ポートＯＵＴ１に向けてノイズ電流が流れると、第１入力ループ線ＬＩＮ１と第１出力ループ線ＬＯＵＴ１の各々のループ内領域をｚ軸下向きに磁束が発生し、第１入力ループ線ＬＩＮ１と第１出力ループ線ＬＯＵＴ１が良好に磁気結合することができる。同様に、入力ポートＩＮ１から出力ポートＯＵＴ１に向けてノイズ電流が流れると、第２入力ループ線ＬＩＮ２と第２出力ループ線ＬＯＵＴ２の各々のループ内領域をｚ軸上向きに磁束が発生し、第２入力ループ線ＬＩＮ２と第２出力ループ線ＬＯＵＴ２が良好に磁気結合することができる。これにより、入力ループ線Ｌ１と出力ループ線Ｌ２が良好に磁気結合し、これらの間に相互インダクタンスが生じている。
【００４５】
ノイズフィルタ１００はさらに、一端が第１導電線１１の分岐部１１Ｃに接続されているとともに他端が基準ポートＧＮＤに接続されている第２導電線１２を備えている。第２導電線１２には、コンデンサＣ１が介挿されている。
【００４６】
第２導電線１２には、コンデンサＣ１の等価直列インダクタンス（ESL：Equivalent Series Inductance）とコンデンサＣ１が接続する第２導電線１２の寄生インダクタンスが存在している。しかしながら、これらコンデンサＣ１の等価直列インダクタンスと第２導電線１２の寄生インダクタンスの和は、入力ループ線Ｌ１と出力ループ線Ｌ２の磁気結合で生じる相互インダクタンスによって減じられる。これにより、ノイズフィルタ１００では、高周波帯域の電磁ノイズに対するフィルタ性能が向上している。
【００４７】
図７に、入力ループ線Ｌ１と出力ループ線Ｌ２に加わる外部磁界が変化したときに、入力ループ線Ｌ１と出力ループ線Ｌ２に流れる誘導電流の様子を示す。この例では、入力ループ線Ｌ１と出力ループ線Ｌ２を鎖交する磁束（紙面上側から紙面下側向き）が増加したときに、入力ループ線Ｌ１と出力ループ線Ｌ２の各々の流れる誘導電流を破線矢印で示す。
【００４８】
入力ループ線Ｌ１では、第１入力ループ線ＬＩＮ１と第２入力ループ線ＬＩＮ２が８の字状に接続されていることから、第１入力ループ線ＬＩＮ１に発生する誘導電流と第２入力ループ線ＬＩＮ２に発生する誘導電流が逆位相の関係となる。このため、第１入力ループ線ＬＩＮ１に発生する誘導電流と第２入力ループ線ＬＩＮ２に発生する誘導電流が相殺されるので、入力ループ線Ｌ１においては、外部磁界の影響が抑えられている。
【００４９】
同様に、出力ループ線Ｌ２では、第１出力ループ線ＬＯＵＴ１と第２出力ループ線ＬＯＵＴ２が８の字状に接続されていることから、第１出力ループ線ＬＯＵＴ１に発生する誘導電流と第２出力ループ線ＬＯＵＴ２に発生する誘導電流が逆位相の関係となる。このため、第１出力ループ線ＬＯＵＴ１に発生する誘導電流と第２出力ループ線ＬＯＵＴ２に発生する誘導電流が相殺されるので、出力ループ線Ｌ２においては、外部磁界の影響が抑えられている。
【００５０】
このように、このノイズフィルタ１００では、入力ループ線Ｌ１と出力ループ線Ｌ２のいずれにおいても、外部磁界の影響が抑えられている。したがって、ノイズフィルタ１００は、外部磁界に抗してフィルタ性能が安定するという特徴を有することができる。
【００５１】
（第１変形例のノイズフィルタ１０１）
図８に示すノイズフィルタ１０１は、図６及び図７で説明したノイズフィルタ１００の変形例である。このため、図６及び図７のノイズフィルタ１００と実質的に共通する機能を有する構成要素については共通の符号を付し、その説明を省略する。
【００５２】
ノイズフィルタ１０１は、図６及び図７で説明したノイズフィルタ１００が回路基板３０の表面と裏面に設けられていることを特徴としている。回路基板３０の表面Ｓ１には、入力ポートＩＮ１、出力ポートＯＵＴ１、基準ポートＧＮＤ、入力ループ線Ｌ１、コンデンサＣ１等が配設されている。回路基板３０の裏面Ｓ２には、出力ループ線Ｌ２が配設されている。ノイズフィルタ１０１はさらに、Ｕ字状磁性体コア４２と、Ｉ字状磁性体コア４４と、を有していることを特徴としている。Ｕ字状磁性体コア４２は、平板部４２ａと、その平板部４２ａの両端の各々から突出するように構成された２つの第１磁性体部４２ｂと第２磁性体部４２ｃを有している。
【００５３】
回路基板３０には、２つの貫通孔５２，５４が形成されている。第１貫通孔５２は、第１入力ループ線ＬＩＮ１のループ内領域と第１出力ループ線ＬＯＵＴ１（回路基板３０の裏面Ｓ２に配設されており、図示省略）のループ内領域を連通するように回路基板３０を貫通して形成されている。第２貫通孔５４は、第２入力ループ線ＬＩＮ２のループ内領域と第２出力ループ線ＬＯＵＴ２（回路基板３０の裏面Ｓ２に配設されており、図示省略）のループ内領域を連通するように回路基板３０を貫通して形成されている。
【００５４】
Ｕ字状磁性体コア４２の第１磁性体部４２ｂは、第１貫通孔５２内に配置され、その頂面がＩ字状磁性体コア４４に接触又は所定のギャップを置いて近接するように配置される。Ｕ字状磁性体コア４２の第２磁性体部４２ｃは、第２貫通孔５４内に配置され、その頂面がＩ字状磁性体コア４４に接触又は所定のギャップを置いて近接するように配置される。このように、Ｕ字状磁性体コア４２とＩ字状磁性体コア４４は、環状の磁性体コアとして構成されている。なお、Ｕ字状磁性体コア４２の第１磁性体部４２ｂと第２磁性体部４２ｃの各々の頂面とＩ字状磁性体コア４４の間のギャップ幅を調整することにより、入力ループ線Ｌ１と出力ループ線Ｌ２（回路基板３０の裏面Ｓ２に配設されており、図示省略）の間の相互インダクタンスを調整することができる。
【００５５】
このようなＵ字状磁性体コア４２とＩ字状磁性体コア４４が設けられていると、入力ループ線Ｌ１と出力ループ線Ｌ２（回路基板３０の裏面Ｓ２に配設されており、図示省略）の磁気結合を強めることができる。これにより、ループ線Ｌ１,Ｌ２の各々のループ面積を小さくしても十分な相互インダクタンスを得ることができる。したがって、このノイズフィルタ１０１は、コンパクトな形態という特徴を有することができる。
【００５６】
（第２変形例のノイズフィルタ１０２）
図９に示すノイズフィルタ１０２は、図６及び図７で説明したノイズフィルタ１００の変形例である。このため、図６及び図７のノイズフィルタ１００と実質的に共通する機能を有する構成要素については共通の符号を付し、その説明を省略する。
【００５７】
ノイズフィルタ１０２は、第１回路基板３１と第２回路基板３２を用いて構成されていることを特徴としている。第１回路基板３１には、入力ポートＩＮ１と、出力ポートＯＵＴ１と、基準ポートＧＮＤと、コンデンサＣ１と、第１導電線１１の一部と、第２導電線１２と、が設けられている。第２回路基板３２には、入力ループ線Ｌ１と、第１入力側接続線ＣＬＩＮ１と、出力ループ線Ｌ２（第２回路基板３２の裏面Ｓ２に配設されており、図示省略）と、第１出力側接続線ＣＬＯＵＴ１（第２回路基板３２の裏面Ｓ２に配設されており、図示省略）と、が設けられている。第１回路基板３１と第２回路基板３２の間には複数の導体ピンが設けられており、これら導体ピンを介して第１回路基板３１と第２回路基板３２が電気的に接続されている。
【００５８】
例えば、ノイズフィルタ１０２を構成する全ての構成要素を１つの回路基板に搭載すると、その回路基板の面積が増加してしまう。一方、図９に示すノイズフィルタ１０２では、少なくとも２つの回路基板３１，３２に構成要素を分けて搭載することにより、個々の回路基板３１，３２の面積を小さくすることができる。これにより、電気機器に搭載するときに、回路基板３１，３２の各々の搭載位置に関する設計自由度が向上する。
【００５９】
（第３変形例のノイズフィルタ１０３）
図１０に示すノイズフィルタ１０３は、図６及び図７で説明したノイズフィルタ１００の変形例である。このため、図６及び図７のノイズフィルタ１００と実質的に共通する機能を有する構成要素については共通の符号を付し、その説明を省略する。
【００６０】
ノイズフィルタ１０３の入力ループ線Ｌ１はさらに、第３入力ループ線ＬＩＮ３と、第４入力ループ線ＬＩＮ４と、を有していることを特徴としている。第１入力ループ線ＬＩＮ１と第３入力ループ線ＬＩＮ３の間には第２入力側接続線ＣＬＩＮ２が設けられている。第２入力側接続線ＣＬＩＮ２は、第１入力ループ線ＬＩＮ１と第３入力ループ線ＬＩＮ３が８の字状となるように両者を接続している。また、第３入力ループ線ＬＩＮ３と第４入力ループ線ＬＩＮ４の間には第３入力側接続線ＣＬＩＮ３が設けられている。第３入力側接続線ＣＬＩＮ３は、第３入力ループ線ＬＩＮ３と第４入力ループ線ＬＩＮ４が８の字状となるように両者を接続している。第２入力側接続線ＣＬＩＮ２と第３入力側接続線ＣＬＩＮ３の各々の一対の接続線は、第１入力側接続線ＣＬＩＮ１の一対の接続線と同様に、第１面Ｓ１と第２面Ｓ２を利用してねじれの位置となるように構成されている。
【００６１】
ノイズフィルタ１０３の出力ループ線Ｌ２はさらに、第３出力ループ線ＬＯＵＴ３と、第４出力ループ線ＬＯＵＴ４と、を有していることを特徴としている。第１出力ループ線ＬＯＵＴ１と第３出力ループ線ＬＯＵＴ３の間には第２出力側接続線ＣＬＯＵＴ２が設けられている。第２出力側接続線ＣＬＯＵＴ２は、第１出力ループ線ＬＯＵＴ１と第３出力ループ線ＬＯＵＴ３が８の字状となるように両者を接続している。また、第３出力ループ線ＬＯＵＴ３と第４出力ループ線ＬＯＵＴ４の間には第３出力側接続線ＣＬＯＵＴ３が設けられている。第３出力側接続線ＣＬＯＵＴ３は、第３出力ループ線ＬＯＵＴ３と第４出力ループ線ＬＯＵＴ４が８の字状となるように両者を接続している。第２出力側接続線ＣＬＯＵＴ２と第３出力側接続線ＣＬＯＵＴ３の各々の一対の接続線は、第１出力側接続線ＣＬＯＵＴ１の一対の接続線と同様に、第１面Ｓ１と第２面Ｓ２を利用してねじれの位置となるように構成されている。
【００６２】
ノイズフィルタ１０３では、第３入力ループ線ＬＩＮ３と第３出力ループ線ＬＯＵＴ３がｚ軸方向に沿って対向して配置されており、第４入力ループ線ＬＩＮ４と第４出力ループ線ＬＯＵＴ４がｚ軸方向に沿って対向して配置されている。このため、入力ポートＩＮ１から出力ポートＯＵＴ１に向けてノイズ電流が流れると、第３入力ループ線ＬＩＮ３と第３出力ループ線ＬＯＵＴ３の各々のループ内領域をｚ軸下向きに磁束が発生し、第３入力ループ線ＬＩＮ３と第３出力ループ線ＬＯＵＴ３が良好に磁気結合することができる。同様に、入力ポートＩＮ１から出力ポートＯＵＴ１に向けてノイズ電流が流れると、第４入力ループ線ＬＩＮ４と第４出力ループ線ＬＯＵＴ４の各々のループ内領域をｚ軸上向きに磁束が発生し、第４入力ループ線ＬＩＮ４と第４出力ループ線ＬＯＵＴ４が良好に磁気結合することができる。これにより、入力ループ線Ｌ１と出力ループ線Ｌ２が良好に磁気結合し、これらの間に相互インダクタンスが生じている。
【００６３】
また、ノイズフィルタ１０３の入力ループ線ＬＮ１では、第１入力ループ線ＬＩＮ１と第２入力ループ線ＬＩＮ２がｙ軸方向に沿って隣り合って配置されており、第１入力ループ線ＬＩＮ１と第３入力ループ線ＬＩＮ３がｘ軸方向に沿って隣り合って配置されており、第３入力ループ線ＬＩＮ３と第４入力ループ線ＬＩＮ４がｙ軸方向に沿って隣り合って配置されており、第２入力ループ線ＬＩＮ２と第４入力ループ線ＬＩＮ４がｘ軸方向に沿って隣り合って配置されている。
【００６４】
同様に、ノイズフィルタ１０３の出力ループ線ＬＮ２では、第１出力ループ線ＬＯＵＴ１と第２出力ループ線ＬＯＵＴ２がｙ軸方向に沿って隣り合って配置されており、第１出力ループ線ＬＯＵＴ１と第３出力ループ線ＬＯＵＴ３がｘ軸方向に沿って隣り合って配置されており、第３出力ループ線ＬＯＵＴ３と第４出力ループ線ＬＯＵＴ４がｙ軸方向に沿って隣り合って配置されており、第２出力ループ線ＬＯＵＴ２と第４出力ループ線ＬＯＵＴ４がｘ軸方向に沿って隣り合って配置されている。
【００６５】
図１１に、入力ループ線Ｌ１と出力ループ線Ｌ２に加わる外部磁界が変化したときに、入力ループ線Ｌ１と出力ループ線Ｌ２に流れる誘導電流の様子を示す。この例では、入力ループ線Ｌ１と出力ループ線Ｌ２を鎖交する磁束（紙面上側から紙面下側向き）が増加したときに、入力ループ線Ｌ１と出力ループ線Ｌ２の各々の流れる誘導電流を破線矢印で示す。なお、この例では、外部磁界の磁界源６２が、複数のループ線を間に置いて第１導電線１１とは反対側である図中の位置にある例である。即ち、磁界源６２は、第２，第４入力ループ線ＬＩＮ２,ＬＩＮ４及び第２，第４出力ループ線ＬＯＵＴ２,ＬＯＵＴ４に相対的に近く、第１，第３入力ループ線ＬＩＮ１,ＬＩＮ３及び第１，第３出力ループ線ＬＯＵＴ１,ＬＯＵＴ３に相対的に遠い位置にある。
【００６６】
ノイズフィルタ１０３の入力ループ線ＬＮ１では、外部磁界によって発生する誘導電流については、第１入力ループ線ＬＩＮ１と第４入力ループ線ＬＩＮ４に同位相の誘導電流が流れ、第２入力ループ線ＬＩＮ２と第３入力ループ線ＬＩＮ３に同位相の誘導電流が流れる。また、第１入力ループ線ＬＩＮ１と第４入力ループ線ＬＩＮ４に流れる誘導電流と第２入力ループ線ＬＩＮ２と第３入力ループ線ＬＩＮ３に流れる誘導電流は逆位相である。さらに、磁界源６２に近いほど誘導電流が大きくなることから、第２入力ループ線ＬＩＮ２と第４入力ループ線ＬＩＮ４に流れる誘導電流は、第１入力ループ線ＬＩＮ１と第３入力ループ線ＬＩＮ３に流れる誘導電流よりも大きい。
【００６７】
例えば、図６及び図７に示すノイズフィルタ１００のように、入力ループ線ＬＮ１が第１入力ループ線ＬＩＮ１と第２入力ループ線ＬＩＮ２のみで構成されている場合、第１入力ループ線ＬＩＮ１と第２入力ループ線ＬＩＮ２の各々を流れる誘導電流の大きさが磁界源６２の位置に依存して相違することから、誘導電流を良好に相殺することができないことがある。一方、図１０及び図１１に示すノイズフィルタ１０３の入力ループ線ＬＮ１では、磁界源６２の位置に依存して強弱となる誘導電流が、逆位相の関係にある誘導電流の各々で発生することができる。この例では、第１入力ループ線ＬＩＮ１と第３入力ループ線ＬＩＮ３には逆位相であって相対的に弱い誘導電流が流れ、第２入力ループ線ＬＩＮ２と第４入力ループ線ＬＩＮ４には逆位相であって相対的に強い誘導電流が流れる。これにより、ノイズフィルタ１０３の入力ループ線ＬＮ１の全体では、磁界源６２の位置の影響を受けずに、誘導電流を良好に相殺することができる。
【００６８】
なお、ノイズフィルタ１０３の出力ループ線ＬＮ２も同様であり、磁界源６２の位置の影響を受けずに、誘導電流を良好に相殺することができる。したがって、ノイズフィルタ１０３は、外部磁界の磁界源６２の位置に対する高いロバスト性を有することができる。
【００６９】
外部磁界の磁界源６２の位置に対するロバスト性をさらに向上させるには、図１２に示すように、さらに多くのループ線をマトリクス状にレイアウトすればよい。即ち、外部磁界に応じて流れる誘導電流が隣り合うループ線の間で逆位相の関係となるように、複数のループ線をマトリクス状にレイアウトすればよい。なお、図１２の例では、図示明瞭化のために、各接続線の導体ビアについては省略している。
【００７０】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００７１】
１００：ノイズフィルタ、  １１：第１導電線、  １１Ａ：入力側導電線、  １１Ｂ：出力側導電線、  １１Ｃ：分岐部、  １２：第２導電線、  Ｃ１：コンデンサ、  ＣＬＩＮ１：第１入力側接続線、  ＣＬＯＵＴ１：第１出力側接続線、  ＧＮＤ：基準ポート、  ＩＮ１：入力ポート、  ＯＵＴ１：出力ポート、  ＬＮ１：入力ループ線、  ＬＮ２：出力ループ線、  ＬＩＮ１：第１入力ループ線、  ＬＩＮ２：第２入力ループ線、  ＬＯＵＴ１：第１出力ループ線、  ＬＯＵＴ２：第２出力ループ線、  Ｓ１：第１面、  Ｓ２：第２面
【図１】
2020155875.tif 000006
【図２】
2020155875.tif 000007
【図３】
2020155875.tif 000008
【図４】
2020155875.tif 000009
【図５】
2020155875.tif 000010
【図６】
2020155875.tif 000011
【図７】
2020155875.tif 000012
【図８】
2020155875.tif 000013
【図９】
2020155875.tif 000014
【図１０】
2020155875.tif 000015
【図１１】
2020155875.tif 000016
【図１２】
2020155875.tif 000017